(57)【要約】      （修正有）【課題】より高い収納能力を有するブックカバーを提供する。【解決手段】一方の面と他方の面とが対向するように折り畳み可能な本体シート１００と、本体シートの少なくとも一方の内面１０２（１０４）に取り付けられた保持部２２０と、保持部における他方の内面１０４（１０２）側一端部に連結され、該連結部分を軸に揺動可能な揺動部２４０と、揺動部の表裏両面に設けられ、被収納物を収納可能な収納シート２４４と、を備えた。【選択図】図２
0003214343.tif 000002
【実用新案登録請求の範囲】
【請求項１】
一方の面と他方の面とが対向するように折り畳み可能な本体シートと、
前記本体シートの少なくとも一方の面に取り付けられた第１のシートと、
前記第１のシートにおける前記他方の面側一端部に連結され、該連結部分を軸に揺動可能な第２のシートと、
前記第２のシートに設けられ、被収納物を収納可能な収納部と、
を備えることを特徴とするブックカバー。
【請求項２】
前記本体シートにおける一方の面と前記第１のシートとの間に、冊子の表紙を保持可能な保持空間が形成される
ことを特徴とする請求項１記載のブックカバー。
【請求項３】
前記本体シートおよび前記第１のシートは四角形に形成され、
前記第１のシートにおける前記他方の面側一端部以外の端部が、前記一方の面の端部に固着することにより、前記一方の面と前記第１のシートとの間に前記保持空間が形成される
ことを特徴とする請求項２記載のブックカバー。
【請求項４】
前記収納部は、前記第２のシートの両面に設けられる
ことを特徴とする請求項１〜請求項３のいずれか一項に記載のブックカバー。
【請求項５】
前記第２のシートは透過性を有する
ことを特徴とする請求項１〜請求項４のいずれか一項に記載のブックカバー。
【請求項６】
前記第１のシートと前記第２のシートとの連結部分には、前記第２のシートを揺動する際の軸となる薄厚部が設けられる
ことを特徴とする請求項１〜請求項５のいずれか一項に記載のブックカバー。
【請求項７】
前記第１のシートと前記第２のシートとは一体的に形成される
ことを特徴とする請求項１〜請求項６のいずれか一項に記載のブックカバー。
【考案の詳細な説明】
【技術分野】
【０００１】
本考案は、冊子と共に、カードや書類等の被収納物を収納するブックカバーに関する。
【背景技術】
【０００２】
近年、単行本や文庫本、ノート、教科書といった冊子の表紙及び裏表紙を保護するブックカバーが広く用いられている。図５は、展開状態にある従来のブックカバーを示す模式図である。図５に示されるように、従来のブックカバー９０は本体シート９２の内面の両側にそれぞれ冊子の表紙または裏表紙が差し込まれてこれを保持する保持部９４が設けられており、その保持部９４上にカードやレシート等の被収納物を収納するポケット９６が設けられている。
【０００３】
関連する技術に、書籍の表紙に対応する部分に二枚重ね部を設け、その二枚重ね部の一部にヒートシール部と切込線とによりディスク盤の収納部を形成したことにより、ディスク盤を収納部にきちんと収納し、書籍と一緒に保管・搬送等することを実現したブックカバーが知られている（特許文献１）。
【先行技術文献】
【特許文献】
【０００４】
【特許文献１】実公平７−３６７８０号公報
【考案の概要】
【考案が解決しようとする課題】
【０００５】
しかしながら、上述したような従来のブックカバーは、冊子を収納する関係上、冊子の表紙と裏表紙とを保持する保持部にのみポケットが設けられているため、被収納物の収納量が限られる。そのため、ブックカバーの収納能力の向上が求められていた。
【０００６】
そこで、本考案は、このような問題に鑑みてなされたもので、その目的とするところは、より高い収納能力を有するブックカバーを提供することにある。
【課題を解決するための手段】
【０００７】
上記課題を解決するために、本考案は、一方の面と他方の面とが対向するように折り畳み可能な本体シートと、前記本体シートの少なくとも一方の面に取り付けられた第１のシートと、前記第１のシートにおける前記他方の面側一端部に連結され、該連結部分を軸に揺動可能な第２のシートと、前記第２のシートに設けられ、被収納物を収納可能な収納部と、を備えることを特徴とする。
【考案の効果】
【０００８】
本考案によれば、より高い収納能力を有するブックカバーを提供することができる。なお、本考案のその他の効果については、以下の考案を実施するための形態の項でも説明する。
【図面の簡単な説明】
【０００９】
【図１】実施形態に係るブックカバーの斜視図である。
【図２】ブックカバーの展開状態を示す模式図である。
【図３】展開状態にあるブックカバーの折返し部を開いた状態を示す模式図である。
【図４】図２に示されるＡ−Ａ線断面図である。
【図５】展開状態にある従来のブックカバーを示す模式図である。
【考案を実施するための形態】
【００１０】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１１】
図１及び図２に示されるように、本考案の実施形態に係るブックカバー１０は、冊子状に折り畳み可能な本体シート１００と、当該本体シート１００を折り畳んだ際に対向する２つの内面１０２，１０４それぞれに取り付けられた収納体２００ａ，２００ｂと、を備える。なお、収納体２００ａ，２００ｂは左右方向（Ｘ方向）において、本体シート１００の中心線Ｐを境に線対称となるように対向して設けられている以外は同一のものであり、これらを区別しない場合は収納体２００と称して以後説明を行う。
【００１２】
（本体シート１００）
本体シート１００はＸ方向が天地方向（Ｙ方向）より長い矩形のシート状物であり、ブックカバー１０が冊子を収納した場合に、その表紙、背、及び裏表紙を覆うカバーの役割を果たす。本体シート１００は、一方の内面１０２と他方の面１０４とが対向するように折り畳むことができるよう、可撓性を有することが好ましい。このような材料としては、紙製材料やプラスチック材料、不織布、織布、皮、合皮等が挙げられる。なお、開閉可能であれば本体シート１００に木材や鋼材を用いるようにしてもよい。
【００１３】
（収納体２００）
収納体２００ａは、本体シート１００と同様に矩形のシート状物であり、図２〜図４に示されるように、本体シート１００の一方の内面１０２に取り付けられた保持部２２０と、保持部２２０における一端部、具体的には保持部２２０における本体シート１００の他方の内面１０４側一端部に一体的に連結された揺動部２４０と、を備える。なお、収納体２００ｂについては、保持部２２０が本体シート１００の他方の内面１０４に取り付けられている以外は収納体２００ａと同様であるため、ここでの説明及び図３においては省略する。収納体２００ａは、少なくとも揺動部２４０が揺動できるよう、可撓性を有することが好ましい。このような材料としては、紙製材料やプラスチック材料、不織布、織布、皮、合皮等が挙げられが、透過性を有するものが好ましい。収納体２００が透過性を有することにより、後述する収納空間内に収納した被収納物を視認することが可能となる。
【００１４】
保持部２２０は、符号２２１，２２２，２２３で示される３辺の縁部がそれぞれ本体シート１００の縁部と熱溶着、超音波溶着等により溶着したシート状物であり、これにより本体シート１００との間で保持空間が画成されたポケットが形成される。本体シート１００との溶着加工がなされていない保持部２２０の一端部２２４から、冊子の表紙または裏表紙が当該保持空間内に挿入されることにより、冊子の表紙または裏表紙を保持することができる。また、本実施形態においては、保持部２２０の縁部２２１，２２２，及び２２３上に、収納シート２２５の３辺の縁部がそれぞれ熱溶着、超音波溶着等により溶着されている。この収納シート２２５と保持部２２０との間で収納空間が画成されたポケットが形成されており、カード等の被収納物を当該収納空間内に収納することができる。
【００１５】
揺動部２４０は、本実施形態においては保持部２２０と一体的に形成されており、折り畳まれた状態において図２に示されるように保持部２２０上に位置しているが、図３に示されるように揺動して折り返すことができる。揺動部２４０には、符号２４１，２４２，２４３で示される３辺の縁部に両面からそれぞれ収納シート２４４，２４５が熱溶着または超音波溶着等により溶着されており、また縁部２４１と縁部２４３との間に２つの仕切２４６，２４７が熱溶着または超音波溶着等により設けられている。これにより、揺動部２４０と収納シート２４４，２４５との間に片面３つの収納空間が画成されたポケットが形成されている。したがって、揺動部２４０はその両面においてカード等の被収納物、例えば名刺であれば少なくとも６枚収納することができ、ブックカバー１０の使用者は揺動部２４０を適宜折り返して、その両面に形成された収納空間に対する被収納物の挿入、取り出しを簡便に行うことができる。
【００１６】
保持部２２０と揺動部２４０との間には、揺動部２４０の揺動時の軸となる周囲より厚みが薄い（図４参照）薄厚部２６０が設けられており、これにより、揺動部２４０の揺動、即ち折り返しが容易となる。なお、本体シート１００を閉じた状態において揺動部２４０がそのＹ方向において位置ズレして冊子状の本体シート１００の天または地側から露出することが無いよう、揺動部２４０のＹ方向における長さは保持部２２０のＹ方向における長さ、換言すれば本体シート１００の長さよりも短くされている。
【００１７】
上述したブックカバー１０の製造方法を簡単に説明する。先ず、収納体２００の元となるシート状物を用意し、一方側両面に収納シート２４４，２４５を重ね合わせ、一方側に揺動部２４０の形状、他方側に保持部２２０の形状が形成されるよう金型等による型抜きを行う。型抜き後、収納シート２４４，２４５における３辺の縁部を熱溶着により貼り合わせと共に、２つの仕切２４６，２４７を熱溶着により形成する。これにより、一方側に揺動部２４０、他方側に保持部２２０が形成された収納体２００が形成される。この収納体２００を２つ用意し、それらの保持部２２０を、本体シート１００の一方の内面１０２と他方の内面１０４とにそれぞれ位置付け、保持部２２０上に収納シート２２５を積層し、これらの縁部を熱溶着により貼り合わせることにより、ブックカバー１０は完成となる。
【００１８】
以上に説明した本実施形態に係るブックカバー１０によれば、冊子の表紙及び裏表紙を２つの保持部２２０のそれぞれに挿入することにより冊子を保持することができると共に、冊子を保持した状態において揺動部２４０が揺動可能となっているため、揺動部２４０が冊子の１頁のような形態をとり、その両面に画成された収容空間を使用することができて従来より多くの収納空間を持たせることが可能となる。また、揺動部２４０が冊子の１頁のような形態をとるため、使用に関する煩わしさがなく、意匠性にも優れる。更に、保持部２２０と揺動部２４０とが一体的に形成されているため、一度の型抜き及び溶着で揺動部２４０を形成でき、そのまま保持部を本体シート１００に貼り付ければよいため、製造方法が極めて容易であり、低コスト且つ量産性に優れている。このような製造方法によれば、従来より製造工程数を減らすことができるため、短納期を実現できる。また、このような製造方法によれば、従来では別工程、例えばポケットを形成するための複数のシート状物をシート毎に都度溶着する工程を必要としないため、シート状物に対する波の跡（ヨレ）、位置ズレ、曲がり、ポケットの付け忘れ等の不良が生じる可能性を低減できる。
【００１９】
なお、本実施形態においては、収納シート２２５，２４４，２４５を用いて収納空間を画成したが、これに限定されるものではなく、より多くの収納シートを用いてさらなる収納空間を画成するようにしてもよい。さらに、揺動部２４０を複数形成してもよく、例えば収納シート２２５の一端部に揺動部２４０が形成されるようにしてもよい。
【００２０】
また、本実施形態においては、揺動部２４０が保持部２２０に一体的に連結されていると説明したが、これに限定される必要はなく、保持部２２０と揺動部２４０とを別体として異なる部材により構成するようにしてもよい。
【００２１】
また、本実施形態においてはＸ方向に収納空間の開口が形成されるよう収納シート２２５，２４４，２４５を貼り付けたが、Ｙ方向に収納空間の開口が形成されるようにしてもよい。
【００２２】
また、本実施形態においては、本体シート１００と保持部２２０、保持部２２０と収容シート２２５、及び揺動部２４０と収容シート２４４，２４５がそれぞれ熱溶着や超音波溶着等により溶着されていると説明したが、これに限定するものではない。例えば高周波加工、ウエルダー加工、または接着剤による接着等、対象となるシート状物の素材に応じて適宜固着方法を選定すればよい。
【００２３】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００２４】
１０  ブックカバー
１００  本体シート
１０２，１０４  内面（一方の面、他方の面）
２００，２００ａ，２００ｂ  収納体
２２０  保持部（第１のシート）
２４０  揺動部（第２のシート、収納部）
２４５，２４６  収納シート（収納部）
２６０  薄厚部
【図１】
0003214343.tif 000003
【図２】
0003214343.tif 000004
【図３】
0003214343.tif 000005
【図４】
0003214343.tif 000006
【図５】
0003214343.tif 000007